(57)【要約】【課題】ユーザの現在位置に応じて、ユーザが欲している商品の情報をリアルタイムで提供する。【解決手段】ユーザ端末１−１を介してユーザＡが欲する商品をセンタ２のユーザＡの商品リストに登録する。センタ２の商品情報データベース２Ｄに商品提供者の情報（位置、電話番号など）やその商品提供者が提供可能な商品の情報（商品名、値段など）を商品情報として登録する。ユーザ端末１−１よりセンタ２へユーザＡの現在位置を送信する。センタ２は、ユーザＡの現在位置とユーザＡの商品リストとに基づいて、ユーザＡの現在位置近辺にユーザＡが欲する商品を提供可能な商品提供者がいるか否かを検索し、該当する商品提供者を発見した場合、ユーザＡのユーザ端末１−１に、その商品提供者の情報およびその商品提供者が提供可能なユーザＡが欲する商品の情報を通知する。【選択図】  図１
2006139458.tif 000002
【特許請求の範囲】
【請求項１】
センタと、ユーザ端末と、商品提供者端末と、これらセンタとユーザ端末と商品提供者端末とを接続するネットワークとを備えたシステムにおいて、
ユーザが欲する商品を前記ユーザ端末を介して前記センタ内のユーザ毎の商品リストに登録する商品登録ステップと、
ユーザの現在位置を前記センタにおいて認識するユーザ位置認識ステップと、
前記センタにおいて、前記現在位置を認識したユーザを通知対象ユーザとし、この通知対象ユーザの現在位置とこの通知対象ユーザの商品リストとに基づいて、通知対象ユーザの現在位置近辺に当該ユーザが欲する商品を提供可能な商品提供者がいるか否かを検索する商品提供者検索ステップと、
前記検索によって該当する商品提供者を発見した場合、前記センタより前記通知対象ユーザのユーザ端末に、その商品提供者の情報およびその商品提供者が提供可能な前記通知対象ユーザが欲する商品の情報を通知する商品情報通知ステップと
を備えることを特徴とする商品情報提供方法。
【請求項２】
センタと、ユーザ端末と、商品提供者端末と、これらセンタとユーザ端末と商品提供者端末とを接続するネットワークとを備えたシステムにおいて、
ユーザが欲する商品を前記ユーザ端末を介して前記センタ内のユーザ毎の商品リストに登録する商品登録ステップと、
ユーザが指定する他のユーザを商品情報提供希望者として前記ユーザ端末を介して前記センタに登録する商品情報提供希望者登録ステップと、
ユーザの現在位置を前記センタにおいて認識するユーザ位置認識ステップと、
前記センタにおいて、前記現在位置を認識したユーザを通知対象ユーザとし、この通知対象ユーザの現在位置とこの通知対象ユーザが登録した前記商品情報提供希望者の商品リストとに基づいて、通知対象ユーザの現在位置近辺にこの通知対象ユーザが登録した前記商品情報提供希望者が欲する商品を提供可能な商品提供者がいるか否かを検索する商品提供者検索ステップと、
前記検索によって該当する商品提供者を発見した場合、前記センタより前記通知対象ユーザのユーザ端末に、その商品提供者の情報およびその商品提供者が提供可能な前記商品情報提供希望者が欲する商品の情報を通知する商品情報通知ステップと
を備えることを特徴とする商品情報提供方法。
【請求項３】
請求項１又は２に記載された商品情報提供方法において、
少なくとも商品提供者の位置を含む商品提供者の情報とその商品提供者が提供可能な商品の情報を商品情報として前記商品提供者端末を介して前記センタ内の商品情報データベースに登録するステップを備え、
前記商品提供者検索ステップは、前記センタ内の商品情報データベースに対して前記検索を行う
ことを特徴とする商品情報提供方法。
【請求項４】
請求項１又は２に記載された商品情報提供方法において、
少なくとも商品提供者の位置を含む商品提供者の情報とその商品提供者が提供可能な商品の情報を商品情報として前記商品提供者端末内の商品情報データベースに登録するステップを備え、
前記商品提供者検索ステップは、前記商品提供者端末内の商品情報データベースに対して前記検索を行う
ことを特徴とする商品情報提供方法。
【請求項５】
請求項２に記載された商品情報提供方法において、
前記商品情報提供希望者登録ステップは、前記商品情報提供希望者として登録可能なユーザを、そのユーザからの許可／不許可の設定により制限する
ことを特徴とする商品情報提供方法。
【請求項６】
センタと、ユーザ端末と、商品提供者端末と、これらセンタとユーザ端末と商品提供者端末とを接続するネットワークとを備え、前記センタより前記ユーザ端末へユーザが欲する商品の情報を提供する商品情報提供システムであって、
前記センタは、
前記ユーザ端末を介して送られてくるユーザが欲する商品をユーザ毎の商品リストに登録する商品登録手段と、
ユーザの現在位置を認識するユーザ位置認識手段と、
前記現在位置を認識したユーザを通知対象ユーザとし、この通知対象ユーザの現在位置とこの通知対象ユーザの商品リストとに基づいて、通知対象ユーザの現在位置近辺に当該ユーザが欲する商品を提供可能な商品提供者がいるか否かを検索する商品提供者検索手段と、
前記検索によって該当する商品提供者を発見した場合、前記通知対象ユーザのユーザ端末に、その商品提供者の情報およびその商品提供者が提供可能な前記通知対象ユーザが欲する商品の情報を通知する商品情報通知手段と
を備えることを特徴とする商品情報提供システム。
【請求項７】
センタと、ユーザ端末と、商品提供者端末と、これらセンタとユーザ端末と商品提供者端末とを接続するネットワークとを備え、前記センタより前記ユーザ端末へユーザが欲する商品の情報を提供する商品情報提供システムであって、
前記センタは、
前記ユーザ端末を介して送られてくるユーザが欲する商品をユーザ毎の商品リストに登録する商品登録手段と、
前記ユーザ端末を介してユーザが指定する他のユーザを商品情報提供希望者として登録する商品情報提供希望者登録手段と、
ユーザの現在位置を認識するユーザ位置認識手段と、
前記現在位置を認識したユーザを通知対象ユーザとし、この通知対象ユーザの現在位置とこの通知対象ユーザが登録した前記商品情報提供希望者の商品リストとに基づいて、通知対象ユーザの現在位置近辺にこの通知対象ユーザが登録した前記商品情報提供希望者が欲する商品を提供可能な商品提供者がいるか否かを検索する商品提供者検索手段と、
前記検索によって該当する商品提供者を発見した場合、前記通知対象ユーザのユーザ端末に、その商品提供者の情報およびその商品提供者が提供可能な前記商品情報提供希望者が欲する商品の情報を通知する商品情報通知手段と
を備えることを特徴とする商品情報提供システム。
【請求項８】
請求項６又は７に記載された商品情報提供システムにおいて、
前記センタは、前記商品提供者端末から送られてくる少なくとも商品提供者の位置を含む商品提供者の情報とその商品提供者が提供可能な商品の情報を商品情報として当該センタ内の商品情報データベースに登録する手段を備え、
前記商品提供者検索手段は、前記センタ内の商品情報データベースに対して前記検索を行う
ことを特徴とする商品情報提供システム。
【請求項９】
請求項６又は７に記載された商品情報提供システムにおいて、
前記商品提供者端末は、少なくとも商品提供者の位置を含む商品提供者の情報とその商品提供者が提供可能な商品の情報を商品情報として当該商品提供者端末内の商品情報データベースに登録する手段を備え、
前記商品提供検索手段は、前記商品提供者端末内の商品情報データベースに対して前記検索を行う
ことを特徴とする商品情報提供システム。
【請求項１０】
請求項７に記載された商品情報提供システムにおいて、
前記商品情報提供希望者登録手段は、商品情報提供希望者として登録可能なユーザを、そのユーザからの許可／不許可の設定により制限する
ことを特徴とする商品情報提供システム。
【発明の詳細な説明】
【技術分野】
【０００１】
この発明は、センタよりユーザ端末へユーザが欲する商品の情報を提供する商品情報提供方法および商品情報提供システムに関するものである。
【背景技術】
【０００２】
近年、携帯電話機やＰＨＳ（簡易型携帯電話機）の普及により、ユーザの位置に応じて情報を提供するサービスが始まっている。例えば、レンタルビデオ店のクーポン券を、そのレンタルビデオ店周辺のユーザ全てにメールで送信し、そのメールを見てやって来たユーザの料金を安くするなどのサービスが始められている。
【０００３】
【非特許文献１】「意味情報ネットワークアーキテクチャ」、星合隆成ほか、電子情報通信学会論文誌Ｂ Vol J84-B No.3,pp411-424 2001年3月。
【発明の開示】
【発明が解決しようとする課題】
【０００４】
しかしながら、上述したサービスは、該当する地域内の全てのユーザに同じ情報を送信しているため、ユーザが欲している情報でない場合の方が多く、人によっては迷惑になることがあった。また、友人や家族など自分に近しい人が欲している情報を取得する術はなかった。
【０００５】
なお、非特許文献１には、ユーザが自分の欲する商品を公開することで、欲している商品の情報がネットワークを介してユーザに届けられるという技術が示されている。しかし、この非特許文献１には、ユーザの現在位置（物理的位置）に応じて、ユーザが欲する商品の情報が届くというような仕組みはない。また、自分の友人や家族の欲している商品の情報が提供されるというような仕組みもない。
【０００６】
本発明は、このような課題を解決するためになされたもので、その目的とするところは、ユーザの現在位置に応じて、ユーザが欲している商品の情報や友人や家族など他のユーザが欲している商品の情報をリアルタイムで提供することができる商品情報提供方法および商品情報提供システムを提供することにある。
【課題を解決するための手段】
【０００７】
このような目的を達成するために、第１発明（請求項１に係る発明）は、センタと、ユーザ端末と、商品提供者端末と、これらセンタとユーザ端末と商品提供者端末とを接続するネットワークとを備えたシステムにおいて、ユーザが欲する商品をユーザ端末を介してセンタ内のユーザ毎の商品リストに登録する商品登録ステップと、ユーザの現在位置をセンタにおいて認識するユーザ位置認識ステップと、センタにおいて、現在位置を認識したユーザを通知対象ユーザとし、この通知対象ユーザの現在位置とこの通知対象ユーザの商品リストとに基づいて、この通知対象ユーザの現在位置近辺に当該ユーザが欲する商品を提供可能な商品提供者がいるか否かを検索する商品提供者検索ステップと、検索によって該当する商品提供者を発見した場合、センタより通知対象ユーザのユーザ端末に、その商品提供者の情報およびその商品提供者が提供可能な通知対象ユーザが欲する商品の情報を通知する商品情報通知ステップとを設けたものである。
【０００８】
この発明において、ユーザは、ユーザ端末を介してセンタへアクセスし、自分が欲する商品をセンタ内の自己の商品リストに登録する。センタは、例えばユーザＡの現在位置を認識すると、このユーザＡを通知対象ユーザとし、このユーザＡの現在位置とユーザＡの商品リストとに基づいて、ユーザＡの現在位置近辺にユーザＡが欲する商品を提供可能な商品提供者がいるか否かを検索する。この検索によって該当する商品提供者を発見した場合、センタは、ユーザＡのユーザ端末に、その商品提供者の情報（商品提供者の位置、電話番号など）およびその商品提供者が提供可能なユーザＡが欲する商品の情報（商品名、商品の値段など）を通知する。
【０００９】
第２発明（請求項２に係る発明）は、センタと、ユーザ端末と、商品提供者端末と、これらセンタとユーザ端末と商品提供者端末とを接続するネットワークとを備えたシステムにおいて、ユーザが欲する商品をユーザ端末を介してセンタ内のユーザ毎の商品リストに登録する商品登録ステップと、ユーザが指定する他のユーザを商品情報提供希望者としてユーザ端末を介してセンタに登録する商品情報提供希望者登録ステップと、ユーザの現在位置をセンタにおいて認識するユーザ位置認識ステップと、センタにおいて、現在位置を認識したユーザを通知対象ユーザとし、この通知対象ユーザの現在位置とこの通知対象ユーザが登録した商品情報提供希望者の商品リストとに基づいて、通知対象ユーザの現在位置近辺にこの通知対象ユーザが登録した商品情報提供希望者が欲する商品を提供可能な商品提供者がいるか否かを検索する商品提供者検索ステップと、検索によって該当する商品提供者を発見した場合、センタより通知対象ユーザのユーザ端末に、その商品提供者の情報およびその商品提供者が提供可能な商品情報提供希望者が欲する商品の情報を通知する商品情報通知ステップとを設けたものである。
【００１０】
この発明において、ユーザは、ユーザ端末を介してセンタへアクセスし、自分が欲する商品をセンタ内の自己の商品リストに登録する。また、ユーザは、ユーザ端末を介してセンタへアクセスし、他のユーザを商品情報提供希望者として指定し、登録する。センタは、例えばユーザＡの現在位置を認識すると、このユーザＡを通知対象ユーザとし、このユーザＡの現在位置とユーザＡが登録した商品情報提供希望者（例えば、友人（ユーザＢ）や家族（ユーザＣ））の商品リストとに基づいて、ユーザＡの現在位置近辺にユーザＢやＣが欲する商品を提供可能な商品提供者がいるか否かを検索する。この検索によって該当する商品提供者を発見した場合、センタは、ユーザＡのユーザ端末に、その商品提供者の情報（商品提供者の位置、電話番号など）およびその商品提供者が提供可能なユーザＢやＣが欲する商品の情報（商品名、商品の値段、誰が欲している商品なのかなど）を通知する。
【００１１】
なお、第１発明や第２発明において、センタ内に商品情報データベースを設け、このセンタ内の商品情報データベースに対して商品提供者の検索を行うようにしてもよいし（請求項３）、商品提供者端末内に商品情報データベースを設け、この商品提供者端末内の商品情報データベースに対して商品提供者の検索を行うようにしてもよい（請求項４）。センタ内の商品情報データベースに対して商品提供者の検索を行う場合、センタ内の商品情報データベースには、少なくとも商品提供者の位置を含む商品提供者の情報とその商品提供者が提供可能な商品の情報を商品情報として登録する。商品提供者端末内の商品情報データベースに対して商品提供者の検索を行う場合、商品提供者端末内の商品情報データベースには、少なくとも商品提供者の位置を含む商品提供者の情報とその商品提供者が提供可能な商品の情報を商品情報として登録する。
【００１２】
また、第２発明において、商品情報提供希望者として登録可能なユーザを、そのユーザからの許可／不許可の設定により制限するようにしてもよい。すなわち、ユーザＢやＣからの許可／不許可の設定により、ユーザＡがユーザＢやＣを商品情報提供希望者として登録できるか否かを定めるようにしてもよい。これにより、例えば、ユーザＢがユーザＡに対して不許可を設定すれば、ユーザＡはユーザＢを商品情報提供希望者として登録することができなくなり、商品情報提供希望者として登録可能なユーザが制限されるものとなる。また、本発明は、上述した商品情報提供方法を適用した商品情報提供システムとしても構成することができる（請求項６〜１０）。
【発明の効果】
【００１３】
本発明によれば、通知対象ユーザを例えばユーザＡとした場合、ユーザＡの現在位置とユーザＡの商品リストとに基づいて、ユーザＡの現在位置近辺にユーザＡが欲する商品を提供可能な商品提供者がいるか否かが検索され、この検索によって該当する商品提供者が発見された場合、ユーザＡのユーザ端末にその商品提供者の情報およびその商品提供者が提供可能なユーザＡが欲する商品の情報が通知されるものとなり、ユーザＡの現在位置に応じて、ユーザＡが欲している商品の商品情報〔商品提供者の情報（商品提供者の位置、名称、電話番号など）＋商品の情報（商品名、商品の値段など）〕をリアルタイムで提供することができるようになる。これにより、ユーザの購買意欲を促進する効果が期待できる。
【００１４】
また、本発明によれば、通知対象ユーザを例えばユーザＡとした場合、ユーザＡの現在位置とユーザＡが登録した商品情報提供希望者（例えば、友人、家族など）の商品リストとに基づいて、ユーザＡの現在位置近辺にユーザＡが登録した商品情報提供希望者が欲する商品を提供可能な商品提供者がいるか否かが検索され、この検索によって該当する商品提供者が発見された場合、ユーザＡのユーザ端末にその商品提供者の情報およびその商品提供者が提供可能なユーザＡが登録した商品情報提供希望者が欲する商品の情報が通知されるものとなり、ユーザＡの現在位置に応じて、ユーザＡが登録した商品情報提供希望者が欲している商品の商品情報〔商品提供者の情報（商品提供者の位置、名称、電話番号など）＋商品の情報（商品名、商品の値段、誰が欲している商品なのかなど）〕をリアルタイムで提供することができるようになる。これにより、ユーザの友人や家族が欲する商品を購入し、プレゼントするなどして、友人関係や家族関係が良くなるという効果が期待できる。
【発明を実施するための最良の形態】
【００１５】
以下、本発明を図面に基づいて詳細に説明する。
〔実施の形態１〕
図１はこの発明に係る商品情報提供方法の実施に用いる商品情報提供システムの一例（実施の形態１）を示すシステム構成図である。同図において、１（１−１〜１−ｎ）はユーザ端末、２はセンタ、３（３−１〜３−ｍ）は商品提供者端末、４はユーザ端末１とセンタ２と商品提供者端末３とを相互に接続するネットワークである。なお、この実施の形態において、ユーザ端末１は携帯型の端末とされ、ネットワーク４とは無線で接続される。
【００１６】
ユーザ端末１は、欲する商品登録機能、商品情報受信機能、商品情報取得許可者登録機能、商品情報提供希望者登録機能、現在位置送信機能および欲する商品削除・更新機能を備え、商品提供者端末３は、商品情報登録機能および商品情報削除・更新機能を備え、センタ２は、欲する商品登録・削除・更新受付機能、商品提供者検索機能、商品情報通知機能、ユーザ位置取得機能、商品情報取得許可者登録機能、商品情報提供希望者登録受付機能、商品情報登録・削除・更新受付機能を備えている。ユーザ端末１やセンタ２、商品提供者端末３が有するこれらの機能については後述する。
【００１７】
図２はユーザ端末１の要部を示すブロック図である。ユーザ端末１は、処理部１Ａ、現在位置検出部１Ｂ、記憶部１Ｃ、操作部１Ｄ、表示部１Ｅおよび送受信部１Ｆを備えており、記憶部１Ｃには処理部１Ａが実行するプログラムが格納されている。現在位置検出部１Ｂは、例えばＧＰＳ機能により、ユーザ端末１の現在位置を検出する。
【００１８】
図３は商品提供者端末３の要部を示すブロック図である。商品提供者端末３は、処理部３Ａ、記憶部３Ｂ、操作部３Ｃ、表示部３Ｄおよび送受信部３Ｆを備えており、記憶部３Ｂには処理部３Ａが実行するプログラムが格納されている。
【００１９】
図４はセンタ２の要部を示すブロック図である。センタ２は、処理部２Ａ、記憶部２Ｂ、送受信部２Ｃおよび商品情報データベース２Ｄを備えており、記憶部２Ｂには処理部２Ａが実行するプログラムが格納されている。
【００２０】
〔ユーザが欲する商品の登録〕
この商品情報提供システムにおいて、センタ２の記憶部２Ｂには、ユーザ毎にそのユーザが欲する商品を登録した商品リストＬＳＴが作成される。例えば、ユーザ端末１−１の使用者をユーザＡとした場合、ユーザＡはユーザ端末１−１の操作部１Ｄを介して、欲しい商品を特定する情報を入力する（図５（ａ）に示すステップ１０１）。例えば、欲しい商品が本であった場合、その本のＩＳＢＮ番号（国際標準図書番号）を入力する。すると、ユーザ端末１−１の処理部１Ａは、入力された商品を特定する情報を送受信部１Ｆへ送り、ネットワーク４を介してセンタ２へ送信する（ステップ１０２）。
【００２１】
ユーザ端末１−１からの商品を特定する情報は、センタ２の送受信部２Ｃで受信され、処理部２Ａに送られる。処理部２Ａは、ユーザ端末１−１からの商品を特定する情報を受信すると（図５（ｂ）に示すステップ１０４のＹＥＳ）、その情報によって特定される商品をユーザＡが欲する商品として、記憶部２Ｂ内のユーザＡの商品リストＬＳＴＡに登録する（ステップ１０５）。
【００２２】
なお、欲しい商品を特定する情報は、実商品を見て手で番号を記録することによって取得してもよいし、携帯端末のカメラを利用したＱＲコード（登録商標）として取得してもよく、バーコードを読み取ることによって取得するようにしてもよい。また、携帯端末のカメラで撮影し画像認識機能を介して検索することによって取得するようにしてもよいし、Ｗｅｂブラウザで見つかる情報から取得するようにしてもよい。また、その情報をセンタ２に送信する際は、メールでも、Ｗｅｂブラウザを介してでも、その他の専用のプロトコルを用いてもよい。
【００２３】
図５（ａ）に示した処理は、ユーザ端末１の「欲する商品登録機能」によって実現される。また、図５（ｂ）に示した処理は、センタ２の「欲する商品登録・削除・更新機能」によって実現される。ユーザ端末１は「欲する商品削除・更新機能」を有しており、センタ２の「欲する商品登録・削除・更新機能」との連携により、ユーザ端末１からセンタ２に登録した欲する商品の削除や更新を行うことも可能である。
【００２４】
〔商品情報取得許可者（他のユーザ）の登録〕
ユーザは、ユーザ端末１からセンタ２に対し、自分が欲する商品の商品情報を利用してもよい他のユーザを登録することができる。例えば、ユーザ端末１−１の使用者をユーザＡとした場合、ユーザＡはユーザ端末１−１の操作部１Ｄを介して、自分が欲する商品の商品情報の取得を許可する他のユーザを指定する（図６（ａ）に示すステップ２０１）。
【００２５】
例えば、個人名や個別のＩＤコード（他のユーザを特定する情報）を入力することによって、自分が欲する商品の商品情報の取得を許可する他のユーザとして友人や家族などを指定する。すると、ユーザ端末１−１の処理部１Ａは、入力された他のユーザを特定する情報を送受信部１Ｆへ送り、ネットワーク４を介してセンタ２へ送信する（ステップ２０２）。
【００２６】
ユーザ端末１−１からの他のユーザを特定する情報は、センタ２の送受信部２Ｃで受信され、処理部２Ａに送られる。処理部２Ａは、ユーザ端末１−１からの他のユーザを特定する情報を受信すると（図６（ｂ）に示すステップ２０４のＹＥＳ）、その情報によって特定される他のユーザをユーザＡの商品情報取得許可者として記憶部２内に登録する（ステップ２０５）。
【００２７】
なお、自分が欲する商品の商品情報の取得を許可する他のユーザを指定する場合、個人名や個別のＩＤだけではなく、グループのＩＤなどを入力するようにしてもよい。すなわち、同じグループＩＤを持つユーザ群を商品情報取得許可者とし、これらユーザ群に自分が欲する商品の商品情報の取得を許可するようにしてもよい。
【００２８】
図６（ａ）に示した処理は、ユーザ端末１の「商品情報取得許可者登録機能」によって実現される。また、図６（ｂ）に示した処理は、センタ２の「商品情報取得許可者登録受付機能」によって実現される。
【００２９】
〔商品情報データベースへの商品情報の登録〕
商品提供者は、商品提供者端末３からセンタ２に対し、自分の情報（商品提供者の情報：商品提供者の位置、電話番号など）とその商品提供者が提供可能な商品の情報（商品名、商品の値段など）を商品情報として登録することができる。例えば、商品提供者端末３−１の使用者を商品提供者ＳＡとした場合、商品提供者ＳＡは商品提供者端末３−１の操作部３Ｃを介して、自分の商品情報（商品提供者の情報＋商品の情報）を入力する（図７（ａ）に示すステップ３０１）。すると、商品提供者端末３−１の処理部３Ａは、入力された商品提供者ＳＡの商品情報を送受信部３Ｅへ送り、ネットワーク４を介してセンタ２へ送信する（ステップ３０２）。
【００３０】
商品提供者端末３−１からの商品提供者ＳＡの商品情報は、センタ２の送受信部２Ｃで受信され、処理部２Ａに送られる。処理部２Ａは、商品提供者端末３−１からの商品提供者ＳＡの商品情報を受信すると（図７（ｂ）に示すステップ３０４のＹＥＳ）、受信した商品提供者ＳＡの商品情報を商品情報データベース２Ｄに登録する（ステップ３０５）。
【００３１】
なお、商品提供者端末３から商品提供者の商品情報を送信する際は、メールでも、Ｗｅｂブラウザを介してでも、その他の専用のプロトコルを用いてもよい。
【００３２】
図７（ａ）に示した処理は、商品提供者端末３の「商品情報登録機能」によって実現される。また、図７（ｂ）に示した処理は、センタ２の「商品情報登録・削除・更新受付機能」によって実行される。商品提供者端末３は「商品情報削除・更新機能」を有しており、センタ２の  「商品情報登録・削除・更新受付機能」との連携により、商品提供者端末３からセンタ２に登録した商品情報の削除や更新を行うことも可能である。
【００３３】
〔ユーザが欲する商品の商品情報の提供〕
ユーザ端末１は、現在位置検出部１Ｂが検出する自己の現在位置を、ネットワーク４を介してセンタ２へ送信する。これにより、例えばユーザ端末１−１の使用者をユーザＡとした場合、ユーザＡの現在位置がネットワーク４を介してセンタ２へ送信される。ユーザ端末１−１からの位置情報は、センタ２の送受信部２Ｃで受信され、処理部２Ａに送られる。処理部２Ａは、ユーザ端末１−１からの位置情報を受信すると（図８に示すステップ４０１のＹＥＳ）、すなわちユーザＡの現在位置を受信すると、その位置を通知対象ユーザの現在位置として認識する（ステップ４０２）。
【００３４】
そして、処理部２Ａは、記憶部２Ｂから通知対象ユーザであるユーザＡの商品リストＬＳＴＡを読み出し（ステップ４０３）、この商品リストＬＳＴＡとユーザＡの現在位置とに基づいて、商品情報データベース２Ｄに検索をかけ（ステップ４０４）、ユーザＡの現在位置近辺にユーザＡが欲する商品を提供可能な商品提供者がいるか否かをチェックする。
【００３５】
この検索によって該当する商品提供者を発見した場合（ステップ４０５のＹＥＳ）、処理部２Ａは、その商品提供者の情報（位置、電話番号など）およびその商品の情報（商品名、商品の値段など）を商品情報データベース２Ｄから読み出し、通知対象ユーザであるユーザＡのユーザ端末１−１へ送信する（ステップ４０６）。例えば、メールなどの方法を介して、プッシュ型でユーザＡに通知する。
【００３６】
これにより、ユーザＡは、自分の現在位置に応じて、ユーザ端末１−１の表示部１Ｅ上で、ユーザＡが欲する商品の商品情報（商品提供者の情報＋商品の情報）を得ることが可能となる。すなわち、ユーザＡの現在位置の近辺にユーザＡが欲する商品を提供し得る商品提供者がいるか否かを知ることができる。また、該当する商品提供者がいた場合には、その商品提供者の位置やその商品提供者が提供し得るユーザＡが欲する商品の商品名や商品の値段などをリアルタイムで知ることができる。これにより、ユーザＡの購買意欲が促進されるものとなる。
【００３７】
図８に示した処理は、センタ２の「ユーザ位置取得機能」や「商品提供者検索機能」、「商品情報通知機能」によって実現される。また、この処理に関連するユーザ端末１での処理は、ユーザ端末１の「現在位置送信機能」や「商品情報受信機能」によって実現される。
【００３８】
なお、センタ２の商品リストＬＳＴには、ユーザが欲する商品と合わせて、商品情報が提供される際の商品の値段の閾値を登録するようにしてもよい。例えば、商品の値段が１００００円以下の商品提供者があった場合にのみ、そのユーザに商品情報を提供するように制限するようにしてもよい。
【００３９】
また、ユーザの現在位置は、ユーザ端末１にＧＰＳ機能を持たせるのではなく、ユーザ端末１が位置している携帯基地局の情報から認識するようにしてもよい。また、ユーザが持つＩＣ内蔵の定期券やＩＣ内蔵の乗車券などと連携し、ユーザが駅を出た際にその駅の情報をユーザの現在位置としてユーザ端末１よりセンタ２へ送信するようにしてもよい。
【００４０】
センタ２は、ユーザ端末１から位置情報が送信される毎に、そのユーザが欲する商品情報を提供可能な商品提供者の検索を行う。この場合、ユーザ端末１の位置が変わらなくても、商品提供者の検索が行われるものとなる。このような無駄な検索を避けるため、ある程度の移動があった場合にのみ、例えば上述した例のようにユーザが駅を出た場合にのみ、ユーザ端末１の現在位置をセンタ２に送信するような形が望ましい。
【００４１】
〔商品情報提供希望者の指定および登録〕
ユーザは、自分が欲する商品の商品情報だけではなく、友人や家族など他のユーザが欲する商品の商品情報の提供を受けるようにすることもできる。この場合、ユーザは、ユーザ端末１より自分に対して商品情報の取得を許可しているユーザをセンタ２に問い合わせる（図９（ａ）に示すステップ５０１）。例えば、ユーザ端末１−１の使用者をユーザＡとした場合、ユーザＡはユーザ端末１−１の操作部１Ｄを介して、ユーザＡを商品情報取得許可者として登録しているユーザがあるか否かをセンタ２へ問い合わせる。
【００４２】
センタ２は、このユーザＡからの問い合わせに応じ（ステップ５０５のＹＥＳ）、ユーザＡを商品情報取得許可者として登録しているユーザのリストを作成し、ユーザ端末１−１へ返送する（ステップ５０６）。ここで、例えば、ユーザＡの友人であるユーザＢ、ユーザＡの家族であるユーザＣがユーザＡを商品情報取得許可者として登録していたとする。この場合、センタ２は、ユーザＢやユーザＣが記載されたユーザリストをユーザ端末１−１へ返送する。
【００４３】
ユーザ端末１−１は、センタ２からのユーザリストを受信し（ステップ５０２のＹＥＳ）、その受信したユーザリストを表示部１Ｅに表示する。ユーザＡは、この表示部１Ｅに表示されたユーザリストから、商品情報の提供を希望する所望のユーザを指定する（ステップ５０３）。ここでは、ユーザＢおよびＣを商品情報の提供を希望する他のユーザとして指定したとする。
【００４４】
ユーザ端末１−１は、ユーザＡより商品情報の提供を希望する他のユーザとしてユーザＢおよびＣが指定されたことをセンタ２へ通知する。センタ２は、ユーザ端末１−１からの通知を受け（ステップ５０７のＹＥＳ）、指定されたユーザＢおよびＣをユーザＡの商品情報提供希望者として記憶部２Ｂに登録する（ステップ５０８）。
【００４５】
図９（ａ）に示した処理は、ユーザ端末１の「商品情報提供希望者登録機能」によって実現される。また、図９（ｂ）に示した処理は、センタ２の「商品情報提供希望者登録受付機能」によって実現される。
【００４６】
〔商品提供希望者が欲する商品の商品情報の提供〕
ユーザ端末１は、現在位置検出部１Ｂが検出する自己の現在位置を、ネットワーク４を介してセンタ２へ送信する。これにより、例えばユーザ端末１−１の使用者をユーザＡとした場合、ユーザＡの現在位置がネットワーク４を介してセンタ２へ送信される。ユーザ端末１−１からの位置情報は、センタ２の送受信部２Ｃで受信され、処理部２Ａに送られる。処理部２Ａは、ユーザ端末１−１からの位置情報を受信すると（図１０に示すステップ６０１のＹＥＳ）、すなわちユーザＡの現在位置を受信すると、その位置を通知対象ユーザの現在位置として認識する（ステップ６０２）。
【００４７】
そして、処理部２Ａは、記憶部２Ｂから通知対象ユーザであるユーザＡが登録した商品情報提供希望者、この例ではユーザＢおよびＣの商品リストＬＳＴＢおよびＬＳＴＣを読み出し（ステップ６０３）、この商品リストＬＳＴＢおよびＬＳＴＣとユーザＡの現在位置とに基づいて、商品情報データベース２Ｄに検索をかけ（ステップ６０４）、ユーザＡの現在位置近辺にユーザＢやＣが欲する商品を提供可能な商品提供者がいるか否かをチェックする。
【００４８】
この検索によって該当する商品提供者を発見した場合（ステップ６０５のＹＥＳ）、処理部２Ａは、その商品提供者の情報（位置、電話番号など）およびその商品の情報（商品名、商品の値段など）を商品情報データベース２Ｄから読み出し、商品の情報に誰が欲している商品なのかの情報を加えて、通知対象ユーザであるユーザＡのユーザ端末１−１へ送信する（ステップ６０６）。例えば、メールなどの方法を介して、プッシュ型でユーザＡに通知する。
【００４９】
これにより、ユーザＡは、自分の現在位置に応じて、ユーザ端末１−１の表示部１Ｅ上で、ユーザＡが希望するユーザＢやＣが欲する商品の商品情報（商品提供者の情報＋商品の情報）を得ることが可能となる。すなわち、ユーザＡの現在位置の近辺にユーザＢが欲する商品を提供し得る商品提供者がいるか否かを知ることができる。また、該当する商品提供者がいた場合には、その商品提供者の位置やその商品提供者が提供し得るユーザＢやＣが欲する商品の商品名や商品の値段などをリアルタイムで知ることができる。これにより、ユーザＢやＣが欲する商品を購入し、プレゼントするなどして、ユーザＢやＣとの関係を良くすることが可能となる。
【００５０】
図１０に示した処理は、センタ２の「ユーザ位置取得機能」や「商品提供者検索機能」、「商品情報通知機能」によって実現される。また、この処理に関連するユーザ端末１での処理は、ユーザ端末１の「現在位置送信機能」や「商品情報受信機能」によって実現される。
【００５１】
なお、自分の欲する商品の商品情報の提供を受けたユーザＡが実際にその商品提供者のところに行き、商品を購入した場合など、その商品がもう欲する商品でなくなった場合には、その旨をユーザ端末１−１よりセンタ２に対して通知することにより、ユーザＡの商品リストＬＳＴからその商品が削除される。また、商品提供者も、その商品がなくなった場合など、センタ２の商品情報データベース２Ｄから削除することができる。同様に、商品の値段などの更新も、通常のデータベースアクセスの方法で可能である。
【００５２】
〔実施の形態２〕
図１１はこの発明に係る商品情報提供方法の実施に用いる商品情報提供システムの他の例（実施の形態２）を示すシステム構成図である。実施の形態１（図１）ではセンタ２に商品情報データベース２Ｄを設けるようにした。これに対し、この実施の形態２の商品情報提供システムでは、商品提供者端末３に商品情報データベース３Ｆを各個に設ける。商品情報データベース３Ｆには、商品提供者端末３毎に、その商品提供者の情報（商品提供者の位置、電話番号など）およびその商品提供者が提供可能な商品の情報（商品名、商品の値段など）を商品情報として登録する。
【００５３】
この実施の形態２の商品情報提供システムにおいて、センタ２は、ユーザ端末１から現在位置を受信すると、商品提供者端末３にピアツーピア（Ｐ２Ｐ）的にユーザの現在位置と欲する商品を記述したクエリを送信する。商品提供者端末３は、そのクエリにマッチする商品情報を保持する場合には、そのクエリにヒットする旨のレスポンスをセンタ２に返す。すなわち、この実施の形態２において、センタ２は、商品提供者端末３に設けられた商品情報データベース３Ｆに対して、商品提供者の検索を行う。その他の処理は実施の形態１と同様である。
【図面の簡単な説明】
【００５４】
【図１】本発明に係る商品情報提供方法の実施に用いる商品情報提供システムの一例（実施の形態１）を示すシステム構成図である。
【図２】この商品情報提供システムにおけるユーザ端末の要部を示すブロック図である。
【図３】この商品情報提供システムにおける商品提供者端末の要部を示すブロック図である。
【図４】この商品情報提供システムにおけるセンタの要部を示すブロック図である。
【図５】ユーザが欲する商品を登録する際のユーザ端末およびセンタでの処理を説明するためのフローチャートである。
【図６】商品情報取得許可者を登録する際のユーザ端末およびセンタでの処理を説明するためのフローチャートである。
【図７】商品情報データベースへ商品情報を登録する際の商品提供端末およびセンタでの処理を説明するためのフローチャートである。
【図８】ユーザが欲する商品の商品情報を提供する際のセンタにおける処理を説明するためのフローチャートである。
【図９】商品情報希望者の登録を行う際のユーザ端末およびセンタでの処理を説明するためのフローチャートである。
【図１０】商品情報提供希望者が欲する商品の商品情報を提供する際のセンタにおける処理を説明するためのフローチャートである。
【図１１】本発明に係る商品情報提供方法の実施に用いる商品情報提供システムの他の例（実施の形態２）を示すシステム構成図である。
【符号の説明】
【００５５】
１（１−１〜１−ｎ）…ユーザ端末、２…センタ、３（３−１〜３−ｍ）…商品提供者端末、４…ネットワーク、１Ａ…処理部、１Ｂ…現在位置検出部、１Ｃ…記憶部、１Ｄ…操作部、１Ｅ…表示部、１Ｆ…送受信部、２Ａ…処理部、２Ｂ…記憶部、２Ｃ…送受信部、２Ｄ…商品情報データベース、ＬＳＴ（ＬＳＴＡ，ＬＳＴＢ，ＬＳＴＣ）…商品リスト、３Ａ…処理部、３Ｂ…記憶部、３Ｃ…操作部、３Ｄ…表示部、３Ｅ…送受信部、３Ｆ…商品情報データベース。
【図１】
2006139458.tif 000003
【図２】
2006139458.tif 000004
【図３】
2006139458.tif 000005
【図４】
2006139458.tif 000006
【図５】
2006139458.tif 000007
【図６】
2006139458.tif 000008
【図７】
2006139458.tif 000009
【図８】
2006139458.tif 000010
【図９】
2006139458.tif 000011
【図１０】
2006139458.tif 000012
【図１１】
2006139458.tif 000013